(57)【要約】  本発明の実施例はチャネル測定方法、チャネル測定の構成方法及び装置を提供する。かかる方法は下記のステップを含み、即ち、ユーザ（UE）が基地局の送信した無線リソース制御（RRC）シグナリングを受信し、前記RRCシグナリングは、チャネル測定指示及び基地局が前記ユーザのために構成した測定キャリア周波数及び測定バンド幅を含み（301）；前記ユーザが前記チャネル測定指示に基づいてチャネル測定タイプを確定し（302）、前記チャネル測定タイプは、測定キャリア周波数に対応する参照信号によるチャネル測定、又は実際の参照信号によるチャネル測定を含み；前記UEが、確定されたチャネル測定タイプに基づいてチャネル測定を行うための参照信号シーケンスを確定し（303）；及び前記UE利が、確定された参照信号シーケンスにより、構成された測定キャリア周波数上で、構成された測定バンド幅を以てチャネル測定を行う（304）。本発明の実施例における方法及び装置によれば、UEは実際に送信される参照信号と一致する参照信号を正確に再構成することができ、これにより、正確な測定を行うことができる。
2016506188.tif 000002
【特許請求の範囲】
【請求項１】
チャネル測定方法であって、
ユーザが、基地局により送信されたRRCシグナリングを受信し、前記RRCシグナリングは、チャネル測定指示及び基地局が前記ユーザのために構成した測定キャリア周波数及び測定バンド幅を含み；
前記ユーザが、前記チャネル測定指示に基づいてチャネル測定タイプを確定し、前記チャネル測定タイプは、測定キャリア周波数に対応する参照信号によるチャネル測定、又は実際の参照信号によるチャネル測定を含み；
前記ユーザが、確定したチャネル測定タイプに基づいて、チャネル測定を行うための参照信号シーケンスを確定し；及び
前記ユーザが、確定した参照信号シーケンスにより、構成された測定キャリア周波数上で、構成された測定バンド幅を用いてチャネル測定を行うことを含む、方法。
【請求項２】
請求項1に記載の方法であって、
前記ユーザが前記チャネル測定指示に基づいて確定したチャネル測定タイプが、測定キャリア周波数に対応する参照信号によるチャネル測定である場合、前記ユーザは、チャネル測定を行うための参照信号シーケンスが、構成された測定キャリア周波数に対応する参照信号シーケンスであると確定し；
前記ユーザが前記チャネル測定指示に基づいて確定したチャネル測定タイプが、実際の参照信号によるチャネル測定である場合、前記ユーザは、サービングセルのキャリア周波数を、基地局が実際の参照信号を送信する時に基づくキャリア周波数とし、チャネル測定を行うための参照信号シーケンスが、前記サービングセルのキャリア周波数に対応する参照信号シーケンスであると確定する、方法。
【請求項３】
請求項1に記載の方法であって、
前記RRCシグナリングは更に、基地局が前記ユーザのために構成した、基地局が実際の参照信号を送信する時に基づくキャリア周波数を含む、方法。
【請求項４】
請求項3に記載の方法であって、
前記ユーザが前記チャネル測定指示に基づいて確定したチャネル測定タイプが、測定キャリア周波数に対応する参照信号によるチャネル測定である場合、前記ユーザは、チャネル測定を行うための参照信号シーケンスが、構成された測定キャリア周波数に対応する参照信号シーケンスであると確定し；
前記ユーザが前記チャネル測定指示に基づいて確定したチャネル測定タイプが、実際の参照信号によるチャネル測定である場合、前記ユーザは、チャネル測定を行うための参照信号シーケンスが、前記構成された、基地局が実際の参照信号を送信する時に基づくキャリア周波数に対応する参照信号シーケンスであると確定する、方法。
【請求項５】
請求項1に記載の方法であって、
前記RRCシグナリングは更に参照信号オフセット情報を含み、前記参照信号オフセット情報は、ユーザが測定キャリア周波数に対応する参照信号によるチャネル測定を行う時に再構成する参照信号シーケンスと、基地局が送信する実際の参照信号シーケンスとの間の相対オフセットを指示するために用いられる、方法。
【請求項６】
請求項5に記載の方法であって、
前記ユーザが前記チャネル測定指示に基づいて確定したチャネル測定タイプが、測定キャリア周波数に対応する参照信号によるチャネル測定である場合、前記ユーザは、チャネル測定を行うための参照信号シーケンスが、構成された測定キャリア周波数に対応する参照信号シーケンスであると確定し；
前記ユーザが前記チャネル測定指示に基づいて確定したチャネル測定タイプが、実際の参照信号によるチャネル測定である場合、前記ユーザは、チャネル測定を行うための参照信号シーケンスが、前記参照信号オフセット情報に基づいて確定される参照信号シーケンスであると確定する、方法。
【請求項７】
請求項1〜6の何れか１項に記載の方法であって、
前記チャネル測定指示は、前記RRCシグナリングの測定対象情報の前に位置し、又は前記チャネル測定指示は、前記RRCシグナリングの測定対象情報の中に位置する、方法。
【請求項８】
チャネル測定の構成方法であって、
基地局がユーザにRRCシグナリングを送信することを含み、
前記RRCシグナリングは、チャネル測定指示及び基地局が前記ユーザのために構成した測定キャリア周波数及び測定バンド幅を含み、前記ユーザは、前記チャネル測定指示に基づいてチャネル測定タイプを確定し、前記チャネル測定タイプは、測定キャリア周波数に対応する参照信号によるチャネル測定、又は実際の参照信号によるチャネル測定を含む、方法。
【請求項９】
請求項8に記載の方法であって、
前記RRCシグナリングは更に、基地局が実際の参照信号を送信する時に基づくキャリア周波数を含み；又は
前記RRCシグナリングは更に参照信号オフセット情報を含み、前記参照信号オフセット情報は、ユーザが測定キャリア周波数に対応する参照信号によるチャネル測定を行う時に再構成する参照信号シーケンスと、基地局が送信する実際の参照信号シーケンスとの間の相対オフセットを指示するために用いられる、方法。
【請求項１０】
請求項8又は9に記載の方法であって、
前記チャネル測定指示は、前記RRCシグナリングの測定対象情報の前に位置し、又は前記チャネル測定指示は、前記RRCシグナリングの測定対象情報の中に位置する、方法。
【請求項１１】
ユーザ装置であって、
基地局が送信したRRCシグナリングを受信するための受信ユニットであって、前記RRCシグナリングは、チャネル測定指示及び基地局が前記ユーザのために構成した測定キャリア周波数及び測定バンド幅を含む、受信ユニット；
前記チャネル測定指示に基づいてチャネル測定タイプを確定するための第１確定ユニットであって、前記チャネル測定タイプは、測定キャリア周波数に対応する参照信号によるチャネル測定、又は実際の参照信号によるチャネル測定を含む、第１確定ユニット；
確定されたチャネル測定タイプに基づいて、チャネル測定を行うための参照信号シーケンスを確定するための第２確定ユニット；及び
確定された参照信号シーケンスにより、構成された測定キャリア周波数上で、構成された測定バンド幅を用いてチャネル測定を行うための測定ユニットを含む、ユーザ装置。
【請求項１２】
請求項11に記載のユーザ装置であって、
前記第１確定ユニットが確定したチャネル測定タイプが、測定キャリア周波数に対応する参照信号によるチャネル測定である場合、前記第２確定ユニットは、チャネル測定を行うための参照信号シーケンスが、構成された測定キャリア周波数に対応する参照信号シーケンスであると確定し；
前記第１確定ユニットが確定したチャネル測定タイプが、実際の参照信号によるチャネル測定である場合、前記第２確定ユニットは、サービングセルのキャリア周波数を、基地局が実際の参照信号を送信する時に基づくキャリア周波数とし、チャネル測定を行うための参照信号シーケンスが、前記サービングセルのキャリア周波数に対応する参照信号シーケンスであると確定する、ユーザ装置。
【請求項１３】
請求項11に記載のユーザ装置であって、
前記RRCシグナリングは更に、基地局が前記ユーザのために構成した、基地局が実際の参照信号を送信する時に基づくキャリア周波数を含む、ユーザ装置。
【請求項１４】
請求項13に記載のユーザ装置であって、
前記第１確定ユニットが確定したチャネル測定タイプが、測定キャリア周波数に対応する参照信号によるチャネル測定である場合、前記第２確定ユニットは、チャネル測定を行うための参照信号シーケンスが、構成された、測定キャリア周波数に対応する参照信号シーケンスであると確定し；
前記第１確定ユニットが確定したチャネル測定タイプが、実際の参照信号によるチャネル測定である場合、前記第２確定ユニットは、チャネル測定を行うための参照信号シーケンスが、前記構成された、基地局が実際の参照信号を送信する時に基づくキャリア周波数に対応する参照信号シーケンスであると確定する、ユーザ装置。
【請求項１５】
請求項11に記載のユーザ装置であって、
前記RRCシグナリングは更に参照信号オフセット情報を含み、前記参照信号オフセット情報は、ユーザが測定キャリア周波数に対応する参照信号によるチャネル測定を行う時に再構成する参照信号シーケンスと、基地局が送信する実際の参照信号シーケンスとの間の相対オフセットを指示するために用いられる、ユーザ装置。
【請求項１６】
請求項15に記載のユーザ装置であって、
前記第１確定ユニットが確定したチャネル測定タイプが、測定キャリア周波数に対応する参照信号によるチャネル測定である場合、前記第２確定ユニットは、チャネル測定を行うための参照信号シーケンスが、構成された測定キャリア周波数に対応する参照信号シーケンスであると確定し；
前記第１確定ユニットが確定したチャネル測定タイプが、実際の参照信号によるチャネル測定である場合、前記第２確定ユニットは、チャネル測定を行うための参照信号シーケンスが、前記参照信号オフセット情報に基づいて確定される参照信号シーケンスであると確定する、ユーザ装置。
【請求項１７】
請求項11〜16の何れか１項に記載のユーザ装置であって、
前記チャネル測定指示は、前記RRCシグナリングの測定対象の前に位置し、又は前記チャネル測定指示は、前記RRCシグナリングの測定対象の中に位置する、ユーザ装置。
【請求項１８】
チャネル測定の構成を行うための基地局であって、
ユーザにRRCシグナリングを送信するための送信ユニットを含み、
前記RRCシグナリングは、チャネル測定指示及び基地局が前記ユーザのために構成した測定キャリア周波数及び測定バンド幅を含み、前記ユーザは、前記チャネル測定指示に基づいてチャネル測定タイプを確定し、前記チャネル測定タイプは、測定キャリア周波数に対応する参照信号によるチャネル測定、又は実際の参照信号によるチャネル測定を含む、基地局。
【請求項１９】
請求項18に記載の基地局であって、
前記RRCシグナリングは更に、基地局が実際の参照信号を送信する時に基づくキャリア周波数を含み；又は
前記RRCシグナリングは更に参照信号オフセット情報を含み、前記参照信号オフセット情報は、ユーザが測定キャリア周波数に対応する参照信号によるチャネル測定を行う時に再構成する参照信号シーケンスと、基地局が送信する実際の参照信号シーケンスとの間の相対オフセットを指示するために用いられる、基地局。
【請求項２０】
請求項18又は19に記載の基地局であって、
前記チャネル測定指示は、前記RRCシグナリングの測定対象情報の前に位置し、又は前記チャネル測定指示は、前記RRCシグナリングの測定対象情報の中に位置する、基地局。
【請求項２１】
請求項11〜17の何れか１項に記載のユーザ装置及び請求項18〜20の何れか１項に記載の基地局を含む、通信システム。
【請求項２２】
コンピュータ読み取り可能なプログラムであって、
端末装置中で前記プログラムを実行する時に、該プログラムは、コンピュータに、前記端末装置中で請求項1〜7の何れか１項に記載のチャネル測定方法を実行させるためのプログラム。
【請求項２３】
コンピュータ読み取り可能なプログラムを記憶した記憶媒体であって、
前記プログラムは、コンピュータに、端末装置中で請求項1〜7の何れか１項に記載のチャネル測定方法を実行させる、記憶媒体。
【請求項２４】
コンピュータ読み取り可能なプログラムであって、
基地局中で前記プログラムを実行する時に、該プログラムは、コンピュータに、前記基地局中で請求項8〜10の何れか１項に記載のチャネル測定の構成方法を実行させるためのプログラム。
【請求項２５】
コンピュータ読み取り可能なプログラムを記憶した記憶媒体であって、
前記プログラムは、コンピュータに、基地局中で請求項8〜10の何れか１項に記載のチャネル測定の構成方法を実行させる、記憶媒体。
【発明の詳細な説明】
【技術分野】
【０００１】
本発明は、通信分野に関し、特に、無線通信システムにおけるチャネル測定方法、チャネル測定の構成方法及び装置に関する。
【背景技術】
【０００２】
ＬＴＥ（Long  Term  Evolution、LTE)システムには、無線リンクモニタリング測定(Radio  link  monitoring  measurement)、無線リソース管理測定(Radio  resource  management  measurement)、及びチャネル状態測定(Channel  state  information  measurement)という３種類の測定がある。ユーザ（UE、User  Equipment)は、セル専用参照信号（CRS、Cell-specific  reference  signals)に基づいて測定を行うことができ、例えば、CRSに基づいてセルの下りリンク品質を測定することができ、CRSに基づいて参照信号の受信品質（RSRQ、Reference  Signal  Receiving  Quality)、及び参照信号の受信パワー（RSRP、Reference  Signal  Receiving  Power)などを得ることができ、並びにCRSに基づいてチャネル品質（CQI、Channel  Quality  Indicator)などを推定することができる。ユーザは、チャネル状態参照信号（CSI-RS、Channel  State  Information-Reference  Signal)に基づいて測定を行うこともでき、又は、ユーザ専用参照信号、例えば、復調用参照信号（DM-RS、Demodulation  reference  signal)に基づいてチャネル測定又はチャネル推定を行うこともできる。
【０００３】
ユーザがセルシステムのバンド幅情報を確定することができないときにでも、CRS、CSI-RS、及びDM-RS(例えば、アンテナポート（antenna  port)7-14)を正確に復調することができるようにさせるために、この３種類の参照信号のシーケンスの生成方式及びマッピング方式は、セルシステムのバンド幅の大小（サイズ）にもかかわらず、該参照信号のシーケンス値がすべてセルのキャリヤ周波数（cell  carrier  frequency）を中心として両端へ拡張することに基づくのである。例えば、CRSのシーケンスは、
【数１】
2016506188.tif 000003
であり、
【０００４】
CRSシンボルにマッピングした時間周波数リソースは、
【数２】
2016506188.tif 000004
である。
【０００５】
システムのバンド幅が1.4MHzである場合を例とすると、セルのキャリヤ周波数を中心とする6個の物理リソースブロック（PRB、physical  resource  block)上のCRSシンボルは、順に、
【数３】
2016506188.tif 000005
である。
【０００６】
システムのバンド幅が5MHzである場合を例とすると、セルのキャリヤ周波数を中心とする25個のPRB上のCRSシンボルは、順に、
【数４】
2016506188.tif 000006
である。
【０００７】
そのうち、セルのキャリヤ周波数を中心とする6個のPRB上のCRSは、システムのバンド幅が1.4MHzであるときのCRSシンボルとは同じである。
【０００８】
以上から分かるように、上述のすべては、バンド幅が異なっても、セルのキャリヤ周波数が同じであり、中心のN個のPRB上のCRSシンボルが同じであると、ユーザはバンド幅情報を未だ得ていないときにでも、依然として唯一に中心の複数個のPRB上のCRSシンボルを確定することができると仮定している。しかし、参照信号を送信するセルのキャリヤ周波数が異なる場合、CRSシーケンスは異なる。そのうち、バンド幅制限のマシンタイプのユーザ通信（MTC、Machine-Type  Communication)は、１つのシナリオである。
【０００９】
Release  11(バージョン11)では、3GPP(The  3rd  Generation  Partnership  Project）RAN(Radio  Access  Network、無線アクセスネットワーク）は、MTC通信に関するRANエンハンスドの研究段階（Study  Item、SI)が既に始まっており、また、その最終的な研究成果もTR(Technical  Report、技術報告）37.868に出力されている。TR  37.868では、主に、異なるM2M(Machine-to-Machine）応用シナリオの下でのサービス特徴及びモデルが表１に示すように研究されている。
【表１】
2016506188.tif 000007
【００１０】
また、3GPP  RAN1は、TR  36.888において、低コストマシンタイプ通信（low-cost  MTC)ユーザの各種の採用可能な技術を開示しており、その中には、最大バンド幅の減少；シングル受信RF（radio  frequency）チェイン；ピークレートの減少；送信パワーの減少；半2重通信方式；及びサポート可能な送信モードの減少などが含まれている。
【００１１】
そのうち、下りリンクについては、最大バンド幅の減少方式は、さらに、ＲＦ及びベースバンドのバンド幅の両方が減少し；ベースバンドのバンド幅のみが減少するが、データチャネルのベースバンドのバンド幅及び制御チャネルのベースバンドのバンド幅の両方が減少し；及び、データチャネルのベースバンドのバンド幅のみが減少するが、制御チャネルのベースバンドのバンド幅及びキャリアシステムのバンド幅が同じであるという３種類に分けられても良い。
【００１２】
そのうち、上りリンクについては、最大バンド幅の減少方式は、さらに、ＲＦ及びベースバンドのバンド幅の両方が減少し；及び、バンド幅が不変であるという２種類に分けられてもよい。
【００１３】
ＲＦ及びベースバンドのバンド幅の両方が減少し、又は、ベースバンドのバンド幅が減少するが、データチャネルのベースバンドのバンド幅及び制御チャネルのベースバンドのバンド幅の両方が減少するMTCユーザについて言えば、キャリアシステムのバンド幅全体で送信する信号を完全に得ることができず、MTCユーザがサポートするバンド幅での一部の信号のみを得ることができ、且つ、依然として正確に解き出すことができない。例えば、システムのバンド幅が20MHzであるとき、可用な最大リソースブロック（RB、Resource  Block)の数が110であるが、MTCユーザがサポートするバンド幅が1.4MHzであるとき、可用な最大リソースブロック（RB)の数が6であると、該ユーザは、6個のRBの信号しか受信することができない。この6個のRBは、図1に示すように、キャリアシステムのバンド幅の中心に位置する可能性があり、また、キャリアシステムのバンド幅の任意の位置に位置する可能性もある。UEのセル検出が、測定されたキャリアの中心のPSS(Primary  Synchronization  Signal)／SSS(Secondary  Synchronization  Signal）及びPBCH(Physical  Broadcast  Channel）を検出することで実現されるので、MTCユーザは、まず、該キャリアに成功裏にアクセスする必要がある。よって、アクセス後、該MTCユーザのワーキング周波数は、キャリアの中心周波数と対応する（アライメント）ようになる。
【００１４】
成功裏に該セルにアクセスした後に、基地局は、該ユーザが測定を行い、そして、ユーザが基地局へ測定結果を報告するように構成することができる。基地局は、該ユーザの測定結果に基づいて、ユーザへのスケジューリングなどの操作を行うことができる。バンド幅制限のMTCユーザが基地局により、自セルのバンド幅における非中心位置の周波数領域リソース、例えば、図2に示すような測定対象2及び測定対象3を測定するように構成されている場合、該ユーザは周波数間測定（inter-frequency  measurement）を行う必要がある。従来のシステムでは、基地局により、ユーザのために周波数間測定を構成し、また、測定用キャリア周波数、バンド幅などの情報も構成することができる。ユーザは、構成されたキャリア周波数が周波数間測定対象のバンド幅の中心周波数であると仮定し、その上で、参照信号を再構成し、そして、構成された参照信号に基づいて測定を行う。
【００１５】
しかし、発明者は、本発明の実現過程において、下記のこと、即ち、このような測定について、参照信号の送信が、構成されたキャリア周波数を中心キャリヤ周波数（central  carrier  signal）とするのではなく、ユーザが、構成された該キャリア周波数が中心キャリヤ周波数であるという仮定に基づいて参照信号を再構成するのであるため、該参照信号と、基地局が実際に送信する参照信号とが一致せず、これによって、ユーザが、再構成された参照信号に基づいて正確な測定を行うことができないということを発見した。
【００１６】
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【００１７】
本発明の実施例の目的は、ユーザが、実際に送信される参照信号と一致する参照信号を再構成し得ることをサポートできるチャネル測定方法、チャネル測定の構成方法及び装置を提供することにある。
【課題を解決するための手段】
【００１８】
本発明の実施例の第１側面によれば、チャネル測定方法が提供され、そのうち、前記方法は、
ユーザが、基地局により送信されたRRCシグナリングを受信し、前記RRCシグナリングは、チャネル測定指示及び基地局が前記ユーザのために構成した測定キャリア周波数及び測定バンド幅を含み；
前記ユーザが、前記チャネル測定指示に基づいてチャネル測定タイプを確定し、前記チャネル測定タイプは、測定キャリア周波数に対応する参照信号によるチャネル測定、又は実際の参照信号によるチャネル測定を含み；
前記ユーザが、確定したチャネル測定タイプに基づいて、チャネル測定を行うための参照信号シーケンスを確定し；及び
前記ユーザが、確定した参照信号シーケンスを用いて、構成された測定キャリア周波数上で、構成された測定バンド幅を以てチャネル測定を行うことを含む。
【００１９】
本発明の実施例の第２側面によれば、チャネル測定の構成方法が提供され、そのうち、前記方法は、
基地局がユーザにRRCシグナリングを送信することを含み、
前記RRCシグナリングは、チャネル測定指示及び基地局が前記ユーザのために構成した測定キャリア周波数及び測定バンド幅を含み、前記ユーザは、前記チャネル測定指示に基づいてチャネル測定タイプを確定し、前記チャネル測定タイプは、測定キャリア周波数に対応する参照信号によるチャネル測定、又は実際の参照信号によるチャネル測定を含む。
【００２０】
本発明の実施例の第３側面によれば、ユーザ装置が提供され、そのうち、前記ユーザ装置は、
基地局により送信されたRRCシグナリングを受信するための受信ユニットであって、前記RRCシグナリングは、チャネル測定指示及び基地局が前記ユーザのために構成した測定キャリア周波数及び測定バンド幅を含む、受信ユニット；
前記チャネル測定指示に基づいてチャネル測定タイプを確定するための第１確定ユニットであって、前記チャネル測定タイプは、測定キャリア周波数に対応する参照信号によるチャネル測定、又は実際の参照信号によるチャネル測定を含む、第１確定ユニット；
確定されたチャネル測定タイプに基づいて、チャネル測定を行うための参照信号シーケンスを確定するための第２確定ユニット；及び
確定された参照信号シーケンスを用いて、構成された測定キャリア周波数上で、構成された測定バンド幅を以てチャネル測定を行うための測定ユニットを含む。
【００２１】
本発明の実施例の第４側面によれば、基地局が提供され、そのうち、前記基地局は、
ユーザにRRCシグナリングを送信するための送信ユニットを含み、
前記RRCシグナリングは、チャネル測定指示及び基地局が前記ユーザのために構成した測定キャリア周波数及び測定バンド幅を含み、前記ユーザは、前記チャネル測定指示に基づいてチャネル測定タイプを確定し、前記チャネル測定タイプは、測定キャリア周波数に対応する参照信号によるチャネル測定、又は実際の参照信号によるチャネル測定を含む。
【００２２】
本発明の実施例の第５側面によれば、上述の第３側面に記載のユーザ装置及び上述の第４側面に記載の基地局を含む通信システムが提供される。
【００２３】
本発明の実施例の第６側面によれば、コンピュータ読み取り可能なプログラムが提供され、そのうち、端末装置中で該プログラムを実行するときに、該プログラムは、コンピュータに、前記端末装置中で上述の第１側面に記載のチャネル測定方法を実行させる。
【００２４】
本発明の実施例の第７側面によれば、コンピュータ読み取り可能なプログラムを記憶した記憶媒体が提供され、そのうち、該コンピュータ読み取り可能なプログラムは、コンピュータに、端末装置中で上述の第１側面に記載のチャネル測定方法を実行させる。
【００２５】
本発明の実施例の第８側面によれば、コンピュータ読み取り可能なプログラムが提供され、そのうち、基地局中で該プログラムを実行するときに、該プログラムは、コンピュータに、前記基地局中で上述の第２側面に記載のチャネル測定の構成方法を実行させる。
【００２６】
本発明の実施例の第九側面によれば、コンピュータ読み取り可能なプログラムを記憶した記憶媒体が提供され、そのうち、該コンピュータ読み取り可能なプログラムは、コンピュータに、基地局中で上述の第２側面に記載のチャネル測定の構成方法を実行させる。
【００２７】
本発明の実施例の有益な効果は、本発明の実施例における方法及び装置により、ユーザが、実際に送信される参照信号と一致する参照信号を正確に再構成することができ、これによって、正確なチャネル測定を行うことができることにある。
【００２８】
後述の説明及び図面を参照することで、本発明の特定の実施方式が詳しく開示されており、本発明の原理を採用し得る態様が示されている。なお、本発明の実施方式は、範囲上ではこれらに限定されない。添付した特許請求の範囲内であれば、本発明の実施方式は、様々な変更、修正及び代替によるものを含んでも良い。
【００２９】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００３０】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００３１】
以下の図面を参照することで、本発明の多くの側面をより良く理解することができる。図面中の部品は、比例して描いたものではなく、本発明の原理を示すためのものである。また、本発明の一部を便利に示す及び説明するために、図面中の対応する部分を拡大又は縮小することもある。本発明の１つの図面又は１つの実施方式に説明した要素及び特徴は、１つ又は複数の他の図面又は実施方式に示した要素及び特徴と組み合わせても良い。また、図面では、類似する符号が幾つかの図面中の対応する部品を示し、また、複数の実施方式に用いられる対応する部品を示しても良い。
【図１】MTCユーザのキャリア周波数リソースのシステムバンド幅における位置を示す図である。
【図２】基地局により、ユーザが周波数間測定を行うように構成することを示す図である。
【図３】実施例1におけるチャネル測定方法のフローチャートである。
【図４】基地局が実際の参照信号を送信する時に用いるキャリア周波数fcを示す図である。
【図５】基地局がユーザのために構成した測定キャリア周波数と、基地局が実際の参照信号を送信する時に用いるキャリア周波数との間の対比を示す図である。
【図６】基地局がユーザのために構成した測定キャリア周波数と、基地局が実際の参照信号を送信する時に用いるキャリア周波数との間のオフセット量を示す図である。
【図７】実施例2におけるチャネル測定の構成方法のフローチャートである。
【図８】実施例3におけるチャネル測定を行うユーザ装置の構造を示す図である。
【図９】実施例4における基地局の構造を示す図である。
【発明を実施するための形態】
【００３２】
図面の参照及び以下の説明により、本発明の実施例の上述及び他の特徴が明確になる。なお、これらの実施方式は、例示にすぎず、本発明を限定するものではない。当業者が本発明の原理及び実施方式を容易に理解し得るために、本発明の実施方式では、MTCユーザのチャネル測定及びチャネル測定の構成を例として説明を行っているが、理解すべきは、本発明の実施例がMTCユーザに限定されず、他のバンド幅制限ユーザにも適用し得るということである。
【実施例１】
【００３３】
本発明の実施例1ではチャネル測定方法が提供される。図3は、該方法のフローチャートであり、図3に示すように、該方法は、下記のステップを含む。
【００３４】
ステップ301:ユーザが、基地局により送信されたRRCシグナリングを受信し、上記RRCシグナリングには、チャネル測定指示及び基地局が上記ユーザのために構成した測定キャリア周波数及び測定バンド幅が含まれている。
【００３５】
そのうち、チャネル測定指示は、チャネル測定タイプを指示するために用いられる。従来のチャネル測定過程では、RRCシグナリングが該チャネル測定指示を含まないため、ユーザが、基地局により構成された測定キャリア周波数及びバンド幅にしたがって通常のチャネル測定を行う。しかし、背景技術に記載のように、バンド幅制限ユーザが基地局により、自セルのバンド幅における非中心位置の周波数領域リソースを測定するように構成されることがあり、このような測定により、ユーザは、正確な測定を行うことができなくなる可能性がある。これに対して、本実施例における方法では、RRCシグナリングにチャネル測定指示が新しく追加され、該チャネル測定指示により、ユーザが上述のような通常のチャネル測定（即ち、測定キャリア周波数に対応する参照信号によるチャネル測定）を行うか、それとも、新しく定義されたチャネル測定（即ち、実際の参照信号によるチャネル測定）を行うかを指示することができる。
【００３６】
そのうち、該チャネル測定指示は、１つの1ビットの値によってチャネル測定タイプを指示することができ、例えば、"0"によって、通常のチャネル測定を指示し、"1"によって、新しく定義されたチャネル測定を指示しても良い。
【００３７】
そのうち、該チャネル測定指示は、該RRCシグナリングの測定対象情報の前に位置しても良く、該RRCシグナリングの測定対象情報の中に位置しても良い。具体的には、以下の実施例において説明する。
【００３８】
ステップ302:上記ユーザが、上記チャネル測定指示に基づいてチャネル測定タイプを確定する。
【００３９】
そのうち、上述のように、チャネル測定指示が"0"である場合、該ユーザは、通常のチャネル測定を行うと確定し、即ち、測定キャリア周波数に対応する参照信号に基づいてチャネル測定を行うと確定し；チャネル測定指示が"1"である場合、該ユーザは、新しく定義されたチャネル測定を行うと確定し、即ち、実際の参照信号に基づいてチャネル測定を行うと確定する。
【００４０】
ステップ303:上記ユーザが、確定したチャネル測定タイプに基づいて、チャネル測定を行うための参照信号シーケンスを確定する。
【００４１】
ステップ304:上記ユーザが、確定した参照信号シーケンスを用いて、構成された測定キャリア周波数上で、構成された測定バンド幅を以てチャネル測定を行う。
【００４２】
そのうち、ステップ302で確定したチャネル測定タイプが、測定キャリア周波数に対応する参照信号によるチャネル測定であれば、即ち、通常のチャネル測定を行う場合、該ユーザが確定した、チャネル測定を行うための参照信号シーケンスは、測定キャリア周波数に対応する参照信号シーケンスであり、このとき、該ユーザは、測定キャリア周波数に対応する参照信号シーケンスを用いて、構成された測定キャリア周波数上で、構成された測定バンド幅を以てチャネル測定を行い；ステップ302で確定したチャネル測定タイプが、実際の参照信号によるチャネル測定であれば、即ち、新しく定義されたチャネル測定を行う場合、該ユーザは、先ず、実際の参照信号シーケンスを確定し、そして、構成された測定キャリア周波数上で、構成された測定バンド幅を以てチャネル測定を行う。
【００４３】
そのうち、ユーザは、サービングセルのキャリア周波数に基づいて実際の参照信号シーケンスを確定しても良く、基地局が実際の参照信号を送信する時に基づく（用いる）キャリア周波数（即ち、基地局が該キャリア周波数を基づいて実際の参照信号を送信する。）に基づいて実際の参照信号シーケンスを確定しても良く、基地局が構成した参照信号オフセット情報に基づいて実際の参照信号シーケンスを確定しても良い。具体的には、以下の実施方式において説明する。
【００４４】
本実施例における上述の方法によれば、RRCシグナリングに１つのチャネル測定指示が追加され、該チャネル測定指示を用いてチャネル測定のタイプを指示することで、ユーザが、実際に送信される参照信号と一致する参照信号を正確に再構成することができ、これによって、正確なチャネル測定を行うことができ、また、チャネル測定の精度及び準確度を向上させることもできる。
【００４５】
本実施例の１つの実施方式では、上記RRCシグナリングは、従来のチャネル測定の構成に基づくものであり、新しいキャリア周波数情報が追加されなくてもよい。即ち、上記RRCシグナリングは、基地局が上記ユーザのために構成した測定キャリア周波数（例えば、fc1）及び測定バンド幅のみを含んでも良い。
【００４６】
該実施方式に対応して、上記ユーザがステップ302で上記チャネル測定指示（例えば、Meas_type)に基づいて確定したチャネル測定タイプが、測定キャリア周波数に対応する参照信号によるチャネル測定である場合、上記ユーザは、ステップ303で、基地局が上記ユーザのために構成した測定キャリア周波数fc1に対応する参照信号を用いて、構成された測定キャリア周波数fc1上で、構成された測定バンド幅を以てチャネル測定を行い；上記ユーザがステップ302で上記チャネル測定指示（Meas_type)に基づいて確定したチャネル測定タイプが、実際の参照信号によるチャネル測定である場合、上記ユーザは、ステップ303で、サービングセルのキャリア周波数（例えば、fc）をシステムバンド幅のキャリア周波数(即ち、基地局が実際の参照信号を送信する時に用いるキャリア周波数）とし、該サービングセルのキャリア周波数に対応する参照信号を用いて、構成された測定キャリア周波数fc上で、構成された測定バンド幅を以てチャネル測定を行う。言い換えると、基地局がユーザのために１つのみのキャリア周波数、即ち、測定キャリア周波数fc1を構成し、また、ユーザがチャネル測定指示(Meas_type)に基づいて確定したのが、実際の参照信号によるチャネル測定である場合、該ユーザは、構成されたキャリア周波数fc1上で、サービングセルのfc(それは、基地局が実際の参照信号を送信する時に基づくfcであると見なされる。)による参照信号を用いて測定を行う。
【００４７】
本実施例のもう１つの実施方式では、該RRCシグナリングは、２つのキャリア周波数を含んでも良く、そのうち、１つは、基地局が実際の参照信号を送信する時に基いくキャリア周波数fcであり、もう１つは、基地局が上記ユーザのために構成した、ユーザが通常のチャネル測定を行うときのキャリア周波数（即ち、測定キャリア周波数）fc1である。この場合、該実施方式では、該RRCシグナリングは、従来の測定の構成（基地局がUEのために１つのみのキャリア周波数、即ち、測定キャリア周波数fc1を構成したという構成)に基づいて、１つのキャリア周波数情報を追加することができ、そのうち、新しく追加されたキャリア周波数情報は、基地局が参照信号を送信する時に基づくキャリア周波数である。例えば、図6に示すように、基地局がユーザのために構成したキャリア周波数は、fc1及びfcである。そのうち、fc1は、基地局が上記ユーザのために構成した測定キャリア周波数であり、fcは、新しく追加されたキャリア周波数、即ち、基地局が実際の参照信号を送信する時に基づくキャリア周波数である。
【００４８】
該実施方式に対応して、上記ユーザがステップ302で上記チャネル測定指示(Meas_type)に基づいて確定したチャネル測定タイプが、測定キャリア周波数に対応する参照信号によるチャネル測定である場合、上記ユーザは、ステップ303で、基地局が上記ユーザのために構成した測定キャリア周波数fc1に対応する参照信号を用いて、構成された測定キャリア周波数fc1上で、構成された測定バンド幅を以てチャネル測定を行い、即ち、ユーザが通常のチャネル測定を行い；上記ユーザがステップ302で上記チャネル測定指示（Meas_type)に基づいて確定したチャネル測定タイプが、実際の参照信号によるチャネル測定である場合、上記ユーザは、ステップ303で、基地局が上記ユーザのために構成した、基地局が実際の参照信号を送信する時に基づくキャリア周波数fcに対応する参照信号を用いて、構成された測定キャリア周波数fc1で、構成された測定バンド幅を以てチャネル測定を行い、即ち、ユーザが新しく定義されたチャネル測定を行う。言い換えると、基地局がユーザのために２つのキャリア周波数、即ち、fc1及びfcを構成し、また、ユーザがチャネル測定指示（Meas_type)に基づいて確定したのが、実際の参照信号によるチャネル測定である場合、該ユーザは、構成されたキャリア周波数fc1上で、基地局のfcによる参照信号を用いて測定を行うことができる。
【００４９】
そのうち、基地局がRRCシグナリングにより該ユーザのために構成した2つのキャリア周波数のうちの１つは、測定時に所在するキャリア周波数（即ち、測定キャリア周波数）を指示するために用いられ、もう一つは、基地局が参照信号を送信する時に基づくキャリア周波数を指示するために用いられる。ここでの基地局は、サービングセルの基地局であっても良く、他のセルの基地局であっても良い。言い換えると、ここで新しく追加されたキャリア周波数は、サービングセルのキャリア周波数であってもよく、基地局が構成した、他の測定対象又は他のセルのキャリア周波数であっても良い。本実施例では、これに限定されない。
【００５０】
本実施例のまたもう１つの実施方式では、該RRCシグナリングに、従来の構成（基地局がUEのために１つのみのキャリア周波数、即ち、測定キャリア周波数fc1を構成したという構成)に基づいて、１つの参照信号オフセット情報（例えばoffset)を新しく追加してもよく、そのうち、該参照信号オフセット情報は、測定キャリア周波数に対応する参照信号シーケンスの、基地局が送信する実際の参照信号シーケンスに対しての相対オフセットを指示するために用いられ、又は、基地局が送信する実際の参照信号シーケンスの、測定キャリア周波数に対応する参照信号シーケンスに対しての相対オフセットを指示するために用いられる。
【００５１】
そのうち、参照信号シーケンスは、最大バンド幅に基づいて生成され、例えば、NRBmax,DL=100に基づいて生成されたシーケンスであっても良く、また、該シーケンスは、予め生成させてユーザ側に記憶されても良い。ユーザは、異なるバンド幅の構成に基づいて、記憶されたシーケンスの対応する部分を取り出し、αk,l(p)にマッピングすることができる。また、式（3)に基づいて、ベースバンドのOFDM信号を生成することができる。
【数５】
2016506188.tif 000008
【００５２】
そのうち、0≦t＜(NCP,l+N)×Tsであり、
（外１）
2016506188.tif 000009
であり、
（外２）
2016506188.tif 000010
である。NRBDLは、システムの実際のバンド幅であり、NscRB=12は、各リソースブロックのサブキャリアの数であり、NCP,lは、CPの長さであり、Nは、FFTの長さであり、Tsは、サンプリング点の時間の長さである。k=0は、図４に示すように、中心キャリヤ周波数に対応するサブキャリアの番号である。
【００５３】
該実施方式に対応して、チャネル測定指示（Meas_type)が指示したチャネル測定タイプが、測定キャリア周波数fc1に対応する参照信号によるチャネル測定である場合、ユーザは、通常のチャネル測定を行い、即ち、測定キャリア周波数fclに対応する参照信号を用いて、構成された測定キャリア周波数fcl上で、構成された測定バンド幅を以てチャネル測定を行う。また、採用された参照信号シーケンスは、
（外３）
2016506188.tif 000011
であり、そのうち、m′=m+NRBmax,DL-NRBDLであり、NRBDLは、図５に示すように、構成されたバンド幅である。そのうち、このようなチャネル測定タイプが上述した通常のチャネル測定であるため、該参照信号シーケンスも上述した実施方式に適用することができ、且つmは0である。
【００５４】
該実施方式に対応して、チャネル測定指示（Meas_type)が指示したチャネル測定タイプが、実際の参照信号によるチャネル測定である場合、ユーザは、上述の参照信号オフセット情報offsetに基づいて実際の参照信号を確定し、確定した実際の参照信号、即ち、基地局のfcによる参照信号を用いて、構成された測定キャリア周波数fc1上で、構成された測定バンド幅を以てチャネル測定を行う。
【００５５】
一実施例では、採用された実際の参照信号シーケンスは、
（外４）
2016506188.tif 000012
であり、そのうち、m′=m+NRBmax,DL-NRBDL-ΔNRBDLであり、そのうち、ΔNRBDLは、構成された測定キャリア周波数fc1と、基地局が実際の参照信号を送信する時に基づくキャリア周波数fcとの間のオフセットであるリソースブロックの数である。本実施方式では、該オフセット情報は、物理リソースブロック（PRB)を単位としても良い。例えば、構成された測定キャリア周波数（即ち、ユーザが通常のチャネル測定を行う時の中心キャリア周波数）がfc1であり、基地局が実際の参照信号を送信する時に基づくキャリア周波数がfcであるとすると、fc1とfcとの間のオフセットは、図6に示すように、30個のPRB、即ち、ΔNRBDL=30である。
【００５６】
もう１つの実施例では、採用された実際の参照信号シーケンスは、
（外５）
2016506188.tif 000013
であり、そのうち、m′=m+NRBmax,DL-NRBDLであり、NRBDLは、構成されたバンド幅であるが、上述の実施例との相違点は、mの値が0ではなく、構成された参照信号のオフセット値（offset値）であることにある。このとき、該RRCシグナリングに含まれているのは、fc1及び該offsetの値である。
【００５７】
本実施例では、該チャネル測定指示は、上記RRCシグナリングの測定対象情報要素（element）により搬送することができる。
【００５８】
１つの実施方式では、測定対象情報を（下記の"measObject"のように)構成する時に新しいタイプを（下記の"Meas_jype"のように)追加することで、該チャネル測定指示が上記RRCシグナリングの測定対象情報の前に位置するようにさせても良い。
（外６）
2016506188.tif 000014
【００５９】
またもう１つの実施方式では、測定対象情報の中に（下記の"MeasObjectEUTRA"の中に）タイプ指示を（下記の"Meas_type"のように)追加することで、該チャネル測定指示が上記RRCシグナリングの測定対象情報の中に位置するようにさせても良い。下記のように、該実施方式では、"carrierFreq_1"は、新しく追加されたキャリア周波数情報を表し、該キャリア周波数情報の詳細内容は、上述の通りであるため、ここではその詳しい説明を省略する。
（外７）
2016506188.tif 000015
【００６０】
そのうち、"Meas_type"は、本発明の実施例でRRCシグナリングの測定対象情報要素に追加された新しいフィールド（新フィールドと称される。）であり、それは、"ENUMERATED{0,1}"により、構成された測定キャリア周波数に対応する参照信号によるチャネル測定を行うか、それとも、実際の参照信号によるチャネル測定を行うかを指示する。
【００６１】
本実施例の方法によりチャネル測定を行うことで、ユーザは、実際に送信される参照信号と一致する参照信号を正確に再構成することができ、これによって、正確な測定を行うことができる。
【実施例２】
【００６２】
本発明の実施例2では、チャネル測定の構成方法が提供され、該方法は、実施例1におけるチャネル測定方法に対応する。そのうち、実施例1とは同じ内容は、実施例2では省略する。図7は、該方法のフローチャートであり、図7に示すように、該方法は、下記のステップを含む。
【００６３】
ステップ701:基地局がユーザにRRCシグナリングを送信し、上記RRCシグナリングは、チャネル測定指示及び基地局が上記ユーザのために構成した測定キャリア周波数及び測定バンド幅を含んでおり、上記チャネル測定指示は、チャネル測定タイプを指示するために用いられ、これによって、上記ユーザは、上記チャネル測定指示に基づいてチャネル測定タイプを確定する。
【００６４】
そのうち、上記チャネル測定タイプは、測定キャリア周波数に対応する参照信号によるチャネル測定、又は実際の参照信号によるチャネル測定を含む。そのうち、該チャネル測定指示の具体的な内容及び位置については、実施例1で既に詳細に説明されているため、ここではその詳しい説明を省略する。
【００６５】
ステップ701の１つの実施方式では、上記RRCシグナリングに新しいキャリア周波数情報を追加しない。ユーザが上記チャネル測定指示に基づいて確定したチャネル測定タイプが、測定キャリア周波数に対応する参照信号によるチャネル測定である場合、該ユーザは、通常のチャネル測定を行い、即ち、構成された測定キャリア周波数に対応する参照信号を用いて、構成された測定キャリア周波数上で、構成された測定バンド幅を以てチャネル測定を行い；ユーザが上記チャネル測定指示に基づいて確定したチャネル測定タイプが、実際の参照信号によるチャネル測定である場合、該ユーザは、上述の新しく定義されたチャネル測定を行い、即ち、サービングセルのキャリア周波数を、基地局が実際の参照信号を送信する時に基づくキャリア周波数とし、サービングセルのキャリア周波数に対応する参照信号を用いて、構成された測定キャリア周波数上で、構成された測定バンド幅を以てチャネル測定を行う。
【００６６】
ステップ701のもう１つの実施方式では、上記RRCシグナリングは、上述の基地局が該ユーザのために構成した測定キャリア周波数及び測定バンド幅だけではなく、基地局が上記ユーザのために構成した、基地局が実際の参照信号を送信する時に基づくキャリア周波数も含んでいる。このとき、ユーザが上記チャネル測定指示に基づいて確定したチャネル測定タイプが、測定キャリア周波数に対応する参照信号によるチャネル測定である場合、該ユーザは、通常のチャネル測定を行い、即ち、構成された測定キャリア周波数に対応する参照信号を用いて、構成された測定キャリア周波数上で、構成された測定バンド幅を以てチャネル測定を行い；ユーザが上記チャネル測定指示に基づいて確定したチャネル測定タイプが、実際の参照信号によるチャネル測定である場合、該ユーザは、上述の新しく定義されたチャネル測定を行い、即ち、構成された、基地局が実際の参照信号を送信する時に基づくキャリア周波数に対応する参照信号を用いて、構成された測定キャリア周波数上で、構成された測定バンド幅を以てチャネル測定を行う。
【００６７】
ステップ701のまたもう１つの実施方式では、上記RRCシグナリングは、上述の基地局が該ユーザのために構成した測定キャリア周波数及び測定バンド幅の他に、基地局が上記ユーザのために構成した参照信号オフセット情報も含んでいる。該参照信号オフセット情報は、構成された測定キャリア周波数に対応する参照信号に基づいてチャネル測定を行う時に再構成される参照信号シーケンスと、基地局が送信する実際の参照信号シーケンスとの間の相対オフセットを示す。このとき、ユーザが上記チャネル測定指示に基づいて確定したチャネル測定タイプが、測定キャリア周波数に対応する参照信号による対象測定である場合、該ユーザは、通常のチャネル測定を行い、即ち、構成された測定キャリア周波数に対応する参照信号を用いて、構成された測定キャリア周波数上で、構成された測定バンド幅を以てチャネル測定を行い；ユーザが上記チャネル測定指示に基づいて確定したのが、実際の参照信号によるチャネル測定である場合、上記参照信号オフセット情報に基づいて実際の参照信号を確定し、そして、確定した実際の参照信号を用いて、構成された測定キャリア周波数上で、構成された測定バンド幅を以てチャネル測定を行う。
【００６８】
そのうち、ユーザが、RRCシグナリングに含まれている内容に基づいて、測定キャリア周波数に対応する参照信号によるチャネル測定、又は実際の参照信号によるチャネル測定を行うことについては、実施例1で既に詳細に説明されているため、ここではその詳しい説明を省略する。
【００６９】
本実施例の方法によりチャネル測定の構成を行うことで、ユーザは、実際に送信される参照信号と一致する参照信号を正確に再構成することができ、これによって、正確な測定を行うことができる。
【００７０】
本発明の実施例では更にユーザ装置も提供される。該ユーザ装置が問題を解決する原理が実施例1の方法と類似するため、その具体的な実施は、実施例1における方法の実施を参照することができるので、ここではその詳しい説明を省略する。
【実施例３】
【００７１】
本発明の実施例3ではユーザ装置が提供される。図8は、ユーザ装置の構成を示す図であり、図8に示すように、該ユーザ装置は、下記のユニットを含む。
【００７２】
受信ユニット81：基地局が送信したRRCシグナリングを受信し、上記RRCシグナリングには、チャネル測定指示及び基地局が上記ユーザのために構成した測定キャリア周波数及び測定バンド幅が含まれており；
第１確定ユニット82：上記チャネル測定指示に基づいてチャネル測定タイプを確定し、上記チャネル測定タイプは、測定キャリア周波数に対応する参照信号によるチャネル測定、又は実際の参照信号によるチャネル測定を含み；
第２確定ユニット83：上記第１確定ユニットが確定したチャネル測定タイプに基づいて、チャネル測定を行うための参照信号シーケンスを確定し；
測定ユニット84：確定された参照信号シーケンスに基づいて、構成された測定キャリア周波数上で、構成された測定バンド幅を以てチャネル測定を行う。
【００７３】
本実施例の１つの実施方式では、上記RRCシグナリングは、基地局が上記ユーザのために構成した測定キャリア周波数及び測定バンド幅のみを含む。
【００７４】
該実施方式では、
上記第１確定ユニット82が上記チャネル測定指示に基づいて確定したチャネル測定タイプが、測定キャリア周波数に対応する参照信号によるチャネル測定である場合、上記第２確定ユニット83は、チャネル測定を行うための参照信号シーケンスが、構成された測定キャリア周波数に対応する参照信号シーケンスであると確定し、このとき、上記測定ユニット84は、上記測定キャリア周波数に対応する参照信号を用いて、構成された測定キャリア周波数上で、構成された測定バンド幅を以てチャネル測定を行い;
上記第１確定ユニット82が上記チャネル測定指示に基づいて確定したチャネル測定タイプが、実際の参照信号によるチャネル測定である場合、上記第２確定ユニット83は、サービングセルのキャリア周波数を、基地局が実際の参照信号を送信する時に基づくキャリア周波数とし、チャネル測定を行うための参照信号シーケンスが、サービングセルのキャリア周波数に対応する参照信号シーケンスであると確定し、このとき、上記測定ユニット84は、上記サービングセルのキャリア周波数に対応する参照信号を用いて、構成された測定キャリア周波数上で、構成された測定バンド幅を以てチャネル測定を行う。
【００７５】
本実施例のもう１つの実施方式では、上記RRCシグナリングは、基地局が上記ユーザのために構成した測定キャリア周波数、測定バンド幅、及び基地局が実際の参照信号を送信する時に基づくキャリア周波数（そのうち、ここでの基地局は、サービングセルの基地局であっても良く、他の測定対象又は他のセルの基地局であっても良い。）を含む。
【００７６】
該実施方式では、
上記第１確定ユニット82が上記チャネル測定指示に基づいて確定したチャネル測定タイプが、測定キャリア周波数に対応する参照信号によるチャネル測定である場合、上記第２確定ユニット83は、チャネル測定を行うための参照信号シーケンスが、構成された測定キャリア周波数に対応する参照信号シーケンスであると確定し、このとき、上記測定ユニット84は、上記測定キャリア周波数に対応する参照信号を用いて、構成された測定キャリア周波数上で、構成された測定バンド幅を以てチャネル測定を行い;
上記第１確定ユニット82が上記チャネル測定指示に基づいて確定したチャネル測定タイプが、実際の参照信号によるチャネル測定である場合、上記第２確定ユニット83は、チャネル測定を行うための参照信号シーケンスが、構成された、基地局が実際の参照信号を送信する時に基づくキャリア周波数に対応する参照信号シーケンスであると確定し、このとき、上記測定ユニット84は、構成された、基地局が実際の参照信号を送信する時に基づくキャリア周波数に対応する参照信号を用いて、構成された測定キャリア周波数上で、構成された測定バンド幅を以てチャネル測定を行う。
【００７７】
本実施例のまたもう１つの実施方式では、上記RRCシグナリングは、基地局が上記ユーザのために構成した測定キャリア周波数、測定バンド幅及び参照信号オフセット情報を含み、上記参照信号オフセット情報は、ユーザが測定キャリア周波数に対応する参照信号によるチャネル測定を行う時に再構成する参照信号シーケンスと、基地局が送信する実際の参照信号シーケンスとの間の相対オフセットを指示するために用いられる。
【００７８】
該実施方式では、
上記第１確定ユニット82が上記チャネル測定指示に基づいて確定したチャネル測定タイプが、測定キャリア周波数に対応する参照信号によるチャネル測定である場合、上記第２確定ユニット83は、チャネル測定を行うための参照信号シーケンスが、構成された測定キャリア周波数に対応する参照信号シーケンスであると確定し、このとき、上記測定ユニット84は、上記測定キャリア周波数に対応する参照信号を用いて、構成された測定キャリア周波数上で、構成された測定バンド幅を以てチャネル測定を行い;
上記第１確定ユニット82が上記チャネル測定指示に基づいて確定したチャネル測定タイプが、実際の参照信号によるチャネル測定である場合、上記第２確定ユニット83は、チャネル測定を行うための参照信号シーケンスが、上記参照信号オフセット情報に基づいて確定されべき実際の参照信号シーケンスであると確定し、このとき、上記測定ユニット84は、上記参照信号オフセット情報に基づいて実際の参照信号を確定し、確定した実際の参照信号を用いて、構成された測定キャリア周波数上で、構成された測定バンド幅を以てチャネル測定を行う。
【００７９】
本実施例では、該チャネル測定指示は、上記RRCシグナリングの測定対象情報要素により搬送することができる。上記チャネル測定指示は、上記RRCシグナリングの測定対象情報の前に位置してもよく、又は上記チャネル測定指示は、上記RRCシグナリングの測定対象情報の中に位置しても良い。
【００８０】
本実施例のユーザ装置によりチャネル測定を行うことで、ユーザは、実際に送信される参照信号と一致する参照信号を正確に再構成することができ、これによって、正確の測定を行うことができる。
【００８１】
本発明の実施例では更に基地局も提供され、該基地局が問題を解決する原理が実施例2の方法と類似するため、具体的な実施は、実施例2における方法の実施を参照することができるので、ここでは詳しい説明を省略する。
【実施例４】
【００８２】
本発明の実施例4では基地局が提供される。図9は、該基地局の構造を示す図であり、図9に示すように、該基地局は、下記のユニットを含む。
【００８３】
送信ユニット91：ユーザにRRCシグナリングを送信し、上記RRCシグナリングは、チャネル測定指示及び基地局が上記ユーザのために構成した測定キャリア周波数及び測定バンド幅を含み、これにより、上記ユーザは、前記チャネル測定指示に基づいてチャネル測定タイプを確定し、前記チャネル測定タイプは、測定キャリア周波数に対応する参照信号によるチャネル測定、又は実際の参照信号によるチャネル測定を含む。
【００８４】
そのうち、本実施例の１つの実施方式では、上記RRCシグナリングは、基地局が上記ユーザのために構成した測定キャリア周波数及び測定バンド幅を含む。
【００８５】
本実施例のもう１つの実施方式では、上記RRCシグナリングは、基地局が上記ユーザのために構成した測定キャリア周波数、測定バンド幅及び基地局が実際の参照信号を送信する時に基づくキャリア周波数（そのうち、ここでの基地局は、サービングセルの基地局であってもよく、他の測定対象又は他のセルの基地局であっても良い。）を含む。
【００８６】
本実施例のまたもう１つの実施方式では、上記RRCシグナリングは、基地局が上記ユーザのために構成した測定キャリア周波数、測定バンド幅及び参照信号オフセット情報を含み、上記参照信号オフセット情報は、ユーザが測定キャリア周波数に対応する参照信号によるチャネル測定を行う時に再構成すべき参照信号シーケンスと、基地局が送信する実際の参照信号シーケンスとの間の相対オフセットを指示するために用いられる。
【００８７】
本実施例では、該チャネル測定指示は、上記RRCシグナリングの測定対象情報要素により搬送することができる。上記チャネル測定指示は、上記RRCシグナリングの測定対象情報の前に位置してもよく、又は上記チャネル測定指示は、上記RRCシグナリングの測定対象情報の中に位置しても良い。
【００８８】
本実施例の基地局によりチャネル測定の構成を行うことで、ユーザは、実際に送信される参照信号と一致する参照信号を正確に再構成することができ、これによって、正確の測定を行うことができる。
【００８９】
本発明の実施例では更に通信システムも提供され、そのうち、上記通信システムは、実施例3に記載のユーザ装置及び実施例4に記載の基地局を含む。
【００９０】
本発明の実施例では更にコンピュータ読み取り可能なプログラムが提供され、そのうち、端末装置中で該プログラムを実行する時に、該プログラムは、コンピュータに、上記端末装置中で実施例1に記載のチャネル測定方法を実行させる。
【００９１】
本発明の実施例では更にコンピュータ読み取り可能なプログラムを記憶した記憶媒体が提供され、そのうち、該コンピュータ読み取り可能なプログラムは、コンピュータに、端末装置中で実施例1に記載のチャネル測定方法を実行させる。
【００９２】
本発明の実施例では更にコンピュータ読み取り可能なプログラムが提供され、そのうち、基地局中で該プログラムを実行する時に、該プログラムは、コンピュータに、上記基地局中で実施例2に記載のチャネル測定の構成方法を実行させる。
【００９３】
本発明の実施例では更にコンピュータ読み取り可能なプログラムを記憶した記憶媒体が提供され、そのうち、該コンピュータ読み取り可能なプログラムは、コンピュータに、基地局中で実施例2に記載のチャネル測定の構成方法を実行させる。
【００９４】
本発明の以上の装置及び方法は、ハードウェアにより実現されてもよく、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【００９５】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2016506188.tif 000016
【図２】
2016506188.tif 000017
【図３】
2016506188.tif 000018
【図４】
2016506188.tif 000019
【図５】
2016506188.tif 000020
【図６】
2016506188.tif 000021
【図７】
2016506188.tif 000022
【図８】
2016506188.tif 000023
【図９】
2016506188.tif 000024
【国際調査報告】
2016506188.tif 000025
2016506188.tif 000026
2016506188.tif 000027
2016506188.tif 000028
2016506188.tif 000029